(57)【要約】【課題】外部に設けた外部センサの判定結果を反映させるとともに、当該判定結果により正偽判定基準を補正することが可能な硬貨識別基準補正方法および硬貨処理装置を提供する。【解決手段】投入口２から硬貨４が投入されると、硬貨４がシュート５に配設された外部センサ６を通過する際に、外部センサ６は硬貨４の特徴等を検出し、検出した特徴に基づいて正偽を識別し、識別結果が正貨の場合は硬貨処理装置３に硬貨受入許可信号を送信し、硬貨処理装置３は硬貨４の識別を行い、識別結果が偽貨の場合は硬貨処理装置３に硬貨受入禁止信号を送信し、正偽判定基準の補正を行う。【選択図】　図１
2004126918.tif 000002
【特許請求の範囲】
【請求項１】
硬貨の正偽の補助識別を行う硬貨補助識別装置を硬貨投入口の下流側に配設し、
前記硬貨補助識別装置による正偽の補助識別結果を採用して前記硬貨の受入の可否を制御し、
前記補助識別結果が偽貨の際に、前記硬貨の受入を禁止し、該硬貨を識別する際に適用する硬貨識別基準の補正を行う
ことを特徴とする硬貨識別基準補正方法。
【請求項２】
前記硬貨識別基準の補正は、
前記補助識別結果が偽貨の際に、該偽貨と識別された硬貨から取得した硬貨識別信号を偽貨に相当すると設定する
ことを特徴とする請求項１記載の硬貨識別基準補正方法。
【請求項３】
硬貨投入口の下流側に硬貨補助識別装置を配設し、該硬貨補助識別装置による硬貨の正偽の補助識別結果を採用して該硬貨を処理する硬貨処理装置において、
前記硬貨補助識別装置による前記硬貨の正偽の補助識別結果を採用して該硬貨の受入の可否を制御する硬貨受入制御手段と、
前記補助識別結果が偽貨の際に、前記硬貨受入制御手段は前記硬貨の受入を禁止し、
前記硬貨を識別する際に適用する硬貨識別基準を補正する硬貨識別基準補正手段と
を具備することを特徴とする硬貨処理装置。
【請求項４】
前記硬貨識別基準補正手段は、
前記硬貨補助識別装置で偽貨と識別された際に、該偽貨と識別された硬貨から取得した硬貨識別信号を偽貨に相当すると設定する
ことを特徴とする請求項３記載の硬貨処理装置。
【発明の詳細な説明】
【０００１】
【発明の属する技術分野】
本発明は、硬貨識別基準補正方法および硬貨処理装置に関し、自動販売機に搭載する硬貨識別基準補正方法および硬貨処理装置に関する。
【０００２】
【従来の技術】
従来、自動販売機の投入口から投入された硬貨はシュートを通じて硬貨処理装置に導入され、硬貨処理装置の内部に設けられた硬貨選別部で金種の判定を行い、その金種の判定結果に基づいて硬貨の受入可否の制御を行う。
【０００３】
【発明が解決しようとする課題】
しかし、硬貨処理装置の内部に設けられる硬貨選別部は、一般的にファンネルから正偽貨振り分けレバーまでの通路に配置するため、スペース的に制約があり、硬貨選別部を構成するセンサとしては、主にコイルによる磁気の検出に限られ、磁気以外のセンサ（例えば、画像認識素子等）による判定を考案しても、硬貨処理装置内に配置することは困難で実現性が低かった。
【０００４】
そこで、本発明は、外部に設けた外部センサの判定結果を反映させるとともに、当該判定結果により正偽判定基準を補正することが可能な硬貨識別基準補正方法および硬貨処理装置を提供することを目的とする。
【０００５】
【課題を解決するための手段】
上記目的を達成するため、請求項１の発明は、硬貨の正偽の補助識別を行う硬貨補助識別装置を硬貨投入口の下流側に配設し、前記硬貨補助識別装置による正偽の補助識別結果を採用して前記硬貨の受入の可否を制御し、前記補助識別結果が偽貨の際に、前記硬貨の受入を禁止し、該硬貨を識別する際に適用する硬貨識別基準の補正を行うことを特徴とする。
【０００６】
また、請求項２の発明は、請求項１の発明において、前記硬貨識別基準の補正は、前記補助識別結果が偽貨の際に、該偽貨と識別された硬貨から取得した硬貨識別信号を偽貨に相当すると設定することを特徴とする。
【０００７】
また、請求項３の発明は、硬貨投入口の下流側に硬貨補助識別装置を配設し、該硬貨補助識別装置による硬貨の正偽の補助識別結果を採用して該硬貨を処理する硬貨処理装置において、前記硬貨補助識別装置による前記硬貨の正偽の補助識別結果を採用して該硬貨の受入の可否を制御する硬貨受入制御手段と、前記補助識別結果が偽貨の際に、前記硬貨受入制御手段は前記硬貨の受入を禁止し、前記硬貨を識別する際に適用する硬貨識別基準を補正する硬貨識別基準補正手段とを具備することを特徴とする。
【０００８】
また、請求項４の発明は、請求項３の発明において、前記硬貨識別基準補正手段は、前記硬貨補助識別装置で偽貨と識別された際に、該偽貨と識別された硬貨から取得した硬貨識別信号を偽貨に相当すると設定することを特徴とする。
【０００９】
【発明の実施の形態】
以下、本発明に係わる硬貨識別基準補正方法および硬貨処理装置の実施の形態について添付図面を参照して詳細に説明する。
【００１０】
図１は、自動販売機１の投入口周辺の一例を示す概略構成図である。
【００１１】
図１に示すように、投入口２と硬貨処理装置３との間には投入された硬貨４を硬貨処理装置３へ運ぶシュート５が配設され、シュート５に硬貨４の正偽を識別する外部センサ６が配設されている。
【００１２】
そして、硬貨４は図示矢印方向にシュートを通過することで硬貨処理装置３に送られ、硬貨処理装置３は硬貨通路７を通過する硬貨４に対して、硬貨通路７に配設された磁気センサ８により硬貨４の正偽および金種を識別し、識別結果に基づいて硬貨振分レバー９により硬貨を振り分ける。
【００１３】
硬貨処理装置３の硬貨通路７に配設される磁気センサ８はコイル等から構成され、外部センサ６は硬貨４の特徴に基づいて正偽を識別するセンサ等（例えば、画像認識素子等）から構成されている。
【００１４】
外部センサ６は硬貨処理装置３に通信ラインＡ１０を介して接続し、硬貨４の正偽の判定結果による硬貨受入信号を通信ラインＡ１０を介して硬貨処理装置３に送信する。
【００１５】
また、硬貨処理装置３と自動販売機の主制御部１２に通信ラインＢ１１を介して接続し、硬貨処理装置３と自動販売機の主制御部１２とは通信ラインＢ１１を介して相互の通信を行う。
【００１６】
図２は、硬貨処理装置３における機能的な構成の一例を示すブロック図である。
【００１７】
図２に示すように、硬貨処理装置３は、硬貨処理装置全体の制御を行う主制御部１３、硬貨の正偽および金種を識別する硬貨識別部１４、主制御部１３からの硬貨受入の制御に基づいて硬貨を振り分ける硬貨振分レバー９から構成されている。
【００１８】
また、硬貨識別部１４は、硬貨が通過する際の磁気変化を検出する磁気センサ８、磁気センサ８が検出した磁気変化に基づいて硬貨の正偽を判定する正偽判定部１５、正偽判定部１５が硬貨の正偽を判定する際に正偽判定の基準を設定する正偽判定基準部１６から構成されている。なお、判定結果が正貨の場合、正偽判定部１５は磁気変化に基づいて硬貨の金種を識別する。
【００１９】
図１において、投入口２から硬貨４が投入されると、硬貨４はシュート５を介して硬貨処理装置３に送られる。ここで、硬貨４がシュート５に配設された外部センサ６を通過する際に、外部センサ６は硬貨４の特徴等を検出し、検出した特徴に基づいて正偽を識別し、識別結果が正貨の場合は硬貨処理装置の主制御部１２に硬貨受入許可信号を送信し、識別結果が偽貨の場合は硬貨処理装置の主制御部１２に硬貨受入禁止信号を送信する。
【００２０】
硬貨４がシュート５から硬貨処理装置３に送られると、硬貨４は硬貨通路７を介して硬貨振分レバー９に送られる。ここで、硬貨通路７に配設された磁気センサ８を硬貨４が通過する際に、磁気センサ８は磁気変化を検出し、検出した磁気変化を正偽判定部１５に出力する。正偽判定部１５は正偽判定基準部１６により設定された正偽判定基準に基づき、磁気センサ８が検出した磁気変化を発生させた硬貨の正偽を判定し、判定結果を硬貨処理装置の主制御部１３に送る。なお、正偽判定部１５は正貨と判定した際に磁気変化から識別した硬貨の金種を硬貨処理装置の主制御部１３に送る。
【００２１】
硬貨処理装置の主制御部１３は正偽判定部１５の判定結果に基づいて硬貨受入の制御を決定する。ここで、硬貨の受入を許可する場合は硬貨振分レバー９に硬貨受入許可の指示を送り、硬貨受入許可の指示を受け取った硬貨振分レバー９は硬貨を受け入れ、硬貨の受入を禁止する場合は硬貨振分レバー９に硬貨受入禁止の指示を送り、硬貨受入禁止の指示を受け取った硬貨振分レバー９は硬貨を硬貨処理装置３から排出する。また、硬貨処理装置の主制御部１３は硬貨が正貨と判定された場合、識別した硬貨の金種の情報（投入枚数、釣銭情報等を含む）を自動販売機の主制御部１２に送信する。
【００２２】
なお、外部センサ６から硬貨受入許可信号を受け取った際には、硬貨処理装置３は上述した硬貨識別部１４による硬貨の識別を行うが、外部センサ６から硬貨受入禁止信号を受け取った際には、正偽判定基準部１６が正偽判定基準の補正を行う。
【００２３】
次に、硬貨処理装置３が行う正偽判定基準の補正の処理手順について図３に示すフローチャートを参照して説明する。
【００２４】
投入された硬貨が外部センサに到達すると、外部センサが硬貨を識別する（ステップＳ３０１）。
【００２５】
偽貨と識別された場合（ステップＳ３０２でＮＯ）、硬貨受入を禁止に決定し（ステップＳ３０３）、硬貨処理装置に送られた硬貨が磁気センサに到達すると、磁気センサが硬貨通過による磁気変化を検出する（ステップＳ３０４）。
【００２６】
検出した磁気変化が正貨に相当する場合（ステップＳ３０５でＹＥＳ）、当該磁気変化を偽貨に相当すると決定（正偽判定基準の補正）し（ステップＳ３０６）、硬貨を硬貨処理装置から排出し（ステップＳ３０７）、処理手順を終了する。
【００２７】
また、ステップＳ３０５において、検出した磁気変化が偽貨に相当する場合（ステップＳ３０５でＮＯ）、正偽判定基準の補正を行わずに、硬貨を硬貨処理装置から排出し（ステップＳ３０７）、処理手順を終了する。
【００２８】
また、ステップＳ３０２において、正貨と識別された場合（ステップＳ３０２でＹＥＳ）、硬貨識別部により硬貨を識別し（ステップＳ３０８）、正貨と識別された場合（ステップＳ３０９でＹＥＳ）、硬貨を受け入れ（ステップＳ３１０）、処理手順を終了し、また、ステップＳ３０９において、偽貨と識別された場合（ステップＳ３０９でＮＯ）、硬貨を硬貨処理装置から排出し（ステップＳ３０７）、処理手順を終了する。
【００２９】
図４は、正貨または偽貨の投入に応じた硬貨処理装置３の対応を示す表である。
【００３０】
正貨が投入され、外部センサが正貨と判定し、外部センサから硬貨受入許可信号が硬貨処理装置に送信された場合、硬貨処理装置の硬貨識別部が正貨と判定した際には、硬貨の受入を許可し、正偽判定基準は現状維持のままであり、硬貨処理装置の硬貨識別部が偽貨と判定した際には、硬貨の受入を禁止し、正偽判定基準は現状維持のままである。
【００３１】
また、偽貨が投入され、外部センサが偽貨と判定し、外部センサから硬貨受入禁止信号が硬貨処理装置に送信された場合、硬貨処理装置の硬貨識別部が偽貨と判定した際には、硬貨の受入を禁止し、正偽判定基準は現状維持のままであり、硬貨処理装置の硬貨識別部が正貨と判定した際には、硬貨の受入を禁止し、正偽判定基準は補正する。
【００３２】
更に、外部センサが汚れ、異物の付着、感度低下等により精度が低下した場合においても、それまでの外部センサの識別結果を正偽判定基準に活かすことが可能になる。
【００３３】
【発明の効果】
以上説明したように本発明によれば、外部に設けた外部センサの判定結果を反映させるとともに、当該判定結果により正偽判定基準を補正することが可能になるという効果を奏する。
【図面の簡単な説明】
【図１】自動販売機１の投入口周辺の一例を示す概略構成図である。
【図２】硬貨処理装置３における機能的な構成の一例を示すブロック図である。
【図３】硬貨処理装置３が行う正偽判定基準の補正の処理手順を示すフローチャートである。
【図４】正貨または偽貨の投入に応じた硬貨処理装置３の対応を示す表である。
【符号の説明】
１　　自動販売機
２　　投入口
３　　硬貨処理装置
４　　硬貨
５　　シュート
６　　外部センサ
７　　硬貨通路
８　　磁気センサ
９　　硬貨振分レバー
１０　　通信ラインＡ
１１　　通信ラインＢ
１２　　自動販売機の主制御部
１３　　硬貨処理装置の主制御部
１４　　硬貨識別部
１５　　正偽判定部
１６　　正偽判定基準部
【図１】
2004126918.tif 000003
【図２】
2004126918.tif 000004
【図３】
2004126918.tif 000005
【図４】
2004126918.tif 000006